【事件の表示】
　平成　２年特許願第４０３７９７号「密着式吸収性物品」拒絶査定に対する審判事件〔平成　４年　４月　３日出願公開、特開平　４−１０２４５２、請求項の数（１４）〕について、次のとおり審決する。
【結　論】
　原査定を取り消す。
　本願の発明は、特許すべきものとする。
【理　由】
１　本願発明
　本願は、平成２年１２月１９日（優先権主張１９８９年１２月１９日、米国）の出願であって、その請求項１〜１４に係る発明（以下、「本願発明１」〜「本願発明１４」という。）は、平成１４年６月１７日付けの手続補正書により補正された明細書の特許請求の範囲の請求項１〜１４に記載されたとおりの次のものと認める。
「【請求項１】トップシート周縁寸法でトップシート周縁を有する液体透過性トップシートと、
　前記トップシート周縁寸法よりも大きいバックシート周縁寸法でバックシート周縁を有する液体不透過性バックシートと、
　前記トップシートと前記バックシートとの間に配置された吸収性構造とからなり、前記トップシート周縁が前記バックシート周縁に結合されて、これらの間に排泄物収納ポケットを形成するようになった、使い捨て吸収性物品であって、
　前記液体透過性トップシートが着用者の身体とほぼ完全に接触するようになっており、
　前記トップシートは、排泄物を受け入れるようになっている単一の開口部を含んでおり、
　前記吸収性構造は５．０８センチメートルから７．６２センチメートル（２から３インチ）の股幅を有しており、
　前記バックシートは膨張可能であり、これにより前記バックシートが人体排泄物を収納するように膨張するものであることを特徴とする使い捨て吸収性物品。
　【請求項２】請求項１に記載の物品において、前記トップシートは長手方向の両端部と両側部とを含み、これら両端部と両側部は前記トップシート周縁を構成するものであり、前記バックシートは、長手方向の両端部と両側部とを含んでおり、前記両端部と前記両側部が前記バックシート周縁を形成するものであることを特徴とする物品。
　【請求項３】請求項１または２のいずれかに記載の物品において、前記排泄物収容ポケットが少なくとも１５０立方センチメートルの容積を有することを特徴とする物品。
　【請求項４】請求項２または３のいずれかに記載の物品において、前記長手方向の端のうちの一方の端付近にウエスト弾性部材を備えており、該ウエスト弾性部材は、前記バックシートにのみに周縁で結合されているものであることを特徴とする物品。
　【請求項５】請求項１から４のいずれか１項に記載の物品において、さらに、前記長手方向の端部のうちの一方の端付近に通気性パネルを備え、このパネルが少なくとも４０平方センチメートルの面積を有することを特徴とする物品。
　【請求項６】請求項５に記載の物品において、前記通気性パネルが少なくとも約２０００グラム／平方メートル／２４時間（ｇ／平方メートル／２４時間）の水蒸気透過度を有することを特徴とする物品。
　【請求項７】請求項５または６のいずれか１項に記載の物品において、前記通気性パネルが少なくとも２０平方センチメートルの有効通気面積を有することを特徴とする物品。
　【請求項８】請求項１から７のいずれかに１項に記載の物品において、さらに、前記長手方向の両端のうちの一方の端に一対の伸縮性耳部を包含し、これら伸縮性耳部が複数のループ部材のうちの１つとそこに設けた複数のフック部材とを有し、前記長手方向の端のうち他方の端が前記複数のループ部材の他方とそこに設けた前記複数のフック部材とを有することを特徴とする物品。
　【請求項９】請求項１から８のいずれか１項に記載の物品において、前記トップシートおよび前記バックシートの一方が約１２．５から１７．５センチメートル(５インチから７インチ)の幅を有することを特徴とする物品。
　【請求項１０】請求項１から９のいずれか１項に記載の物品において、前記吸収性構造が少なくとも２０立方センチメートルの容積を有する開口を有しており、前記吸収性構造は、１０から１２．５センチメートル（４から５インチ）の全幅を有することを特徴とする物品。
　【請求項１１】請求項１から１０のいずれか１項に記載の物品において、前記バックシートがプリーツ付きバックシートであることを特徴とする物品。
　【請求項１２】　請求項１から１０のいずれか１項に記載の物品において、前記バックシートが微小クレープ付きバックシートであることを特徴とする物品。
　【請求項１３】請求項１から１２のいずれか１項に記載の物品において、前記バックシートが少なくとも９．８グラム／センチメートル（２５グラム／インチ）の力で少なくとも２０％膨張することを特徴とする物品。
　【請求項１４】　前記トップシートが伸縮可能材料から形成されており、前記吸収性構造が１０から１２．５センチメートル（４インチから５インチ）の全幅を有することを特徴とする請求項１から１３のいずれか１項に記載の物品。」
　
２　引用刊行物に記載された事項
　前置審査において通知された拒絶の理由に引用された各刊行物には、以下の事項が記載されている。
（１）特開昭６２−１６２００１号公報（以下、「刊行物１」という。）には、弾性伸縮自在の外カバーと、排出物を吸収し外カバー内に配置された吸収手段とを備えた、体形にフィットする使い捨ておむつ、が記載され、吸収手段は、液体透過身体側当て部分を含む吸収材構造体と、当て部分に固着された液体不透過バリヤと、バリヤと当て部分との間に配置された吸収材とを備えていること、が記載されている。
（２）欧州特許出願公開第２６３７２０号明細書（１９８８年発行、以下、「刊行物２」という。）には、液体透過性トップシートと、液体不透過性バックシートと、それら両シート間に配置された吸収性コアと、排泄物が側部から流出するのを防止するバリヤーカフスとを備えた使い捨ておむつ、が記載され、吸収性コアを構成する砂時計型の吸収層４８の股部が、約７ｃｍの横幅を有すること、が記載されている。
（３）特開昭６１−４１３０４号公報（以下、「刊行物３」という。）には、湿気不透過性裏シート１０と、疎水性表シート１３と、それら両シート間に配置された吸収性パット１１とからなり、表シート１３の周縁が裏シート１０に固定され、中央の股区域において、表シート１３に単一の開口１３Ｃが設けられ、開口１３Ｃの長さは、排泄物の排出が開口を通して吸収パットへ向くように選択され、股区域において表シート１３へ張力を与えるために、縦方向の弾性バンド１６により弾性が与えられ、使用時に、表シート１３が下に横たわる吸収性パット１１より上に間隔を置いて押しやられる使い捨ておむつ、が記載されている。
（４）特開昭６３−２３５５０３号公報（以下、「刊行物４」という。）には、透液性トップシートと非透液性バックシートとの間に体液吸収体が介在され、吸収体の端より外方に延びた吸収体が存在しないフラップ部を有する吸収性物品において、腰周り用弾性伸縮部材５，６と脚周り用弾性伸縮部材４をフラップ部の両シート間に配置し、長手方向中央部を少なくともトップシートに対して固着しない自由部とし、漏れを防止するとともに着用者の肌への違和感を低減した吸収性物品、が記載されている。
（５）特開昭５９−６６５０１号公報（以下、「刊行物５」という。）には、透水性トップシートと、不透水性バックシートと、それら両シート間に一体的に介在する吸収性コアと、コアの相対向する各側端近傍の長手方向に伸縮自在に取り付けられた第１伸縮弾性部材とからなる使い捨ておむつにおいて、両第１伸縮弾性部材の間であって、かつバックシートとコアとの間に任意本数の第２伸縮弾性部材が長手方向に伸縮自在に取り付けられている使い捨ておむつ、が記載され、第２伸縮弾性部材の作用により、おむつの中央部が着用者の股下にも弾性的に適合密着し、排尿がおむつの中央部で吸収されること、また、股下区域が細幅に形成されたおむつにおいては、さらに適合密着性が良好となること、が記載されている。
（６）特開昭６４−２６７０１号公報（以下、「刊行物６」という。）には、透液性トップシートと、不透液性バックシートと、それら両シート間に介在する吸収性コアと、吸収性コアの縦対向縁から外方に延出する両シート部分で形成される前側及び背側における第１のウエストフラップを備える使い捨ておむつにおいて、第１のウエストフラップの上面に伸縮弾性で通気防液性の第２のウエストフラップが設けられ、第１のウエストフラップと第２のウエストフラップとの間に内方へ開口するポケットが形成されている使い捨ておむつ、が記載され、第２のウエストフラップにより、吸収性コアと外部とが隔離され、その内部から外部への体液の流出が遮断されるとともに、内外部の間の通気が有効に行われて、内部における蒸れを抑制できること、が記載されている。
　
３　対比・判断
（１）本願発明１について　
　本願発明１と各刊行物に記載されたものとを対比すると、いずれの刊行物にも、本願発明１の構成要件である「トップシート周縁寸法でトップシート周縁を有する液体透過性トップシートと、前記トップシート周縁寸法よりも大きいバックシート周縁寸法でバックシート周縁を有する液体不透過性バックシート」及び「前記トップシート周縁が前記バックシート周縁に結合されて、これらの間に排泄物収納ポケットを形成するようになった」との構成（以下、「構成Ａ」という。）については記載されていないし、示唆もされていない。
　なお、刊行物３のＦｉｇ．４に、裏シート１０（本願発明１の「バックシート」に相当。）と吸収性パッド１１が下方に湾曲し、これらと表シート１３との間にポケットが形成されている状態が示されているが、このポケットは、単一の開口１３Ｃ（本願発明１の「単一の開口部」に相当する。）が設けられた表シート１３（本願発明１の「トップシート」に相当する。）の股区域における弾性バンド１６により、表シート１３が吸収性パット１１や裏シート１０より上に間隔を置いて押しやられることにより形成されたものであって、Ｆｉｇ．１〜３を参照しても、本願発明１のポケットのように、トップシート周縁寸法よりも大きい周縁を有するバックシートの周縁がトップシートの周縁に結合されて形成されたものとは認められない。
　そして、本願発明１は、構成Ａと他の構成が相俟って、着用者への密着性が高まるとともに排泄物の収容能力が高まり、明細書に記載されている従来の使い捨て吸収性物品に存する問題を解決する（平成１４年６月１７日付け意見書１／６頁、２／６頁参照。）ものである。
　したがって、本願発明１は、刊行物１〜６記載の発明に基いて当業者が容易に発明をすることができたものということはできない。
　
（２）本願発明２〜１４について
　本願発明２〜１４は、本願発明１を引用してさらに構成を限定するものであるところ、本願発明１が、上記（１）で述べたように、刊行物１〜６記載の発明に基いて当業者が容易に発明をすることができたものということができない以上、本願発明２〜１４も、刊行物１〜６記載の発明に基いて当業者が容易に発明をすることができたものということはできない。
　
４　むすび
　以上のとおりであるから、前置審査の拒絶の理由によっては、本願を拒絶すべきものとすることはできない。
　また、他に本願を拒絶すべき理由を発見しない。
　よって、結論のとおり審決する。